【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
用紙出力装置側から搬入されてきた用紙に所定の処理を施す用紙処理装置において、
最上流に位置する前記用紙の搬送手段を駆動する第１の駆動源と、
前記最上流に位置する搬送手段以外の用紙の搬送手段を駆動する第２の駆動源と、
前記第１および第２の駆動源の駆動を制御する制御手段と、
を備え、前記制御手段により前記第１の駆動源と第２の駆動源とをそれぞれ独立して駆動制御することを特徴とする用紙処理装置。
【請求項２】
前記最上流に位置する搬送手段の搬送方向上流の搬送路に、前記用紙搬送手段によって搬送されてきた前記用紙が駆動停止状態の前記最上流に位置する搬送手段に当接して撓むこと許容する間隙が形成されていることを特徴とする請求項１記載の用紙処理装置。
【請求項３】
前記最上流に位置する搬送手段の上流側の近接した位置に搬送方向と直交する幅方向に位置して前記用紙出力装置側から搬入されてきた用紙を検出する用紙検出手段を有し、該用紙検出手段の前記用紙の検出により前記制御手段は前記最上流に位置する搬送手段の動作を制御することを特徴とする請求項１または２記載の用紙処理装置。
【請求項４】
前記用紙の撓ませ量は、前記最上流に位置する搬送手段の上流側の近接した位置に配置され、前記用紙出力装置側から搬入されてきた用紙を検出する用紙検出手段の情報にもとづいて制御されることを特徴とする請求項１の用紙後処理装置。
【請求項５】
前記最上流に位置する搬送手段は、前記用紙検出手段が前記用紙を検出したとき、搬送方向とは逆方向に回転して斜行する前記用紙の先端部を押し下げることを特徴とする請求項２ないし４に記載の用紙処理装置。
【請求項６】
前記最上流に位置する搬送手段は、搬送ローラ対からなることを特徴とする請求項１ないし５に記載の用紙処理装置。
【請求項７】
前記搬送ローラ対は少なくとも前記用紙との当接部がシリコン系の材料で作られていることを特徴とする請求項５記載の用紙後処理装置。
【請求項８】
前記最上流に位置する搬送手段の搬送方向下流側の直後に用紙に穿孔するパンチ装置が設けられていることを特徴とする請求項１または２に記載の用紙処理装置。
【請求項９】
前記用紙出力装置と前記用紙処理装置とを接続し、前者から後者に用紙を搬送する中継ガイド板が設けられ、当該中継ガイド板の少なくとも一方が用紙の撓み方向に揺動自在に設置されていることを特徴とする請求項３記載の用紙処理装置。
【請求項１０】
画像形成装置本体の排紙ローラによって搬送排出される用紙に対して穿孔処理する用紙処理装置において、
画像形成装置本体から搬送排出される用紙の受入口に穿孔手段を近接配置すると共に、該穿孔手段にレジスト部材を近接配置してなり、前記画像形成装置本体の排紙ローラによる用紙の搬送力によって該用紙先端を前記レジスト部材に突き当て、用紙の搬送曲がりを矯正した後に穿孔手段により穿孔処理を行うようにしたことを特徴とする用紙処理装置。
【手続補正２】
【補正対象書類名】明細書
【補正対象項目名】００３０
【補正方法】変更
【補正の内容】
【００３０】
なお、スキュー補正を行う入口ローラ対１の少なくとも用紙との当接部をシリ
コン系材料で構成することにより、スキュー補正するべき用紙の先端を入口ロー
ラ対１のニップ部へスムーズにガイドすることができる。また、図１１に示すよ
うに、入口ローラ対１を逆回転させるような場合でも、用紙にダメージを与える
ことはない。
以上のように本実施形態によれば、以下のような効果を奏する。
１）最上流に位置する前記用紙の搬送手段を駆動する第１の駆動源と、前記最上流に位置する搬送手段以外の用紙の搬送手段を駆動する第２の駆動源と、前記第１および第２の駆動源の駆動を制御する制御手段とを備え、前記制御手段により前記第１の駆動源と第２の駆動源とをそれぞれ独立して駆動制御するので、第１の駆動源の駆動のみをオフにして、
用紙の先端を前記最上流に位置する搬送手段に当接させてスキューの補正を行うことができ、従来のようなスキュー補正機構が不要になる。
２）最上流に位置する搬送手段の搬送方向上流の搬送路に用紙搬送手段によって搬送されてきた用紙が駆動停止状態の前記最上流に位置する搬送手段に当接して撓むこと許容する間隙が形成されているので、この間隙の間で用紙は撓むことができ、スキュー補正が確実に行える。
３）用紙検出手段による用紙の検出により最上流に位置する搬送手段の動作を制御しているので、スキューした用紙と最上流に位置する搬送手段の距離の略平均値を安定して検出でき、かつ用紙検出手段が最上流に位置する搬送手段と近接しているので、画像形成装置の排紙ローラの外形寸法のバラツキやスリップによる用紙送り量の誤差を最小限にすることができる。
４）用紙の撓ませ量を用紙検出手段の情報にもとづいて制御しているので、スキュー補正する過程の用紙の撓み量を安定して形成でき、より安定したスキュー補正が可能となる。
５）最上流に位置する搬送手段は用紙検出手段が用紙を検出したときに搬送方向とは逆方向に回転させているので、厚紙等の用紙の腰がある紙種でも突き当て時最上流に位置する搬送手段を一旦通過しても逆回転により押し戻されるため、更に安定したスキュー補正が可能となる。また、スキュー補正時に用紙が搬送方向と直交方向にオフセットする現象も解消でき、搬送方向と直交方向のズレも最小限にすることができる。
６）最上流に位置する搬送手段が搬送ローラ対からなるので、従来の搬送手段を駆動源を別にしてそのまま使用することができ、従来構造の簡単な改良でスキューの補正が可能になる。
７）搬送ローラ対の用紙との当接部をシリコン系の材料で構成しているので、スキュー補正するべき用紙の先端を搬送ローラのニップへスムーズにガイドでき、また、搬送ローラの逆回転時でも用紙にダメージを与えることはない。
８）最上流に位置する搬送手段の搬送方向下流側の直後に用紙に穿孔するパンチ装置を設けたので、スキューが補正された用紙に対して穿孔することが可能となり、孔あけ位置精度を高めることができる。
９）用紙出力装置と用紙処理装置をと接続し、前者から後者に用紙を搬送する中継ガイド板が設けられ、当該中継ガイド板の少なくとも一方が用紙の撓み方向（搬送路に対して垂直な方向）に揺動自在に設置されているので、スキュー補正の際に生じる用紙の撓みによってジャムが発生したり、シワが発生したりすることを防止できる。
【手続補正３】
【補正対象書類名】明細書
【補正対象項目名】００３１
【補正方法】変更
【補正の内容】
【００３１】
【発明の効果】
以上のように、本発明によれば、装置を大型化させることのない簡単な機構によって、品質及び信頼性が高く、コスト的にも有利となる用紙処理装置を提供することができる。
【手続補正４】
【補正対象書類名】明細書
【補正対象項目名】００３２
【補正方法】削除
【補正の内容】
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】